(57)【要約】【課題】  簡単にフォルダを指定してそのフォルダに画像データを記録することができる撮影装置を提供する。【解決手段】撮影操作に応じて生成された画像データを、メモリカードに記録する前に、液晶モニタ１０＿３０１上に、画像データに基づくプレビュー画像と予め作成しておいた４つのアイコンを表示させ、液晶モニタ１０＿３０１上に表示されているプレビュー画像を表わす画像データを、十字キー１０＿８およびＯＫボタン１０＿７の操作により指定されたアイコンに対応づけられたフォルダに記録する。【選択図】  図２
2006310944.tif 000002
【特許請求の範囲】
【請求項１】
撮影光学系で撮像素子上に被写体光を結像して被写体を表わす画像データを生成し撮影操作に応じて生成された画像データを記録媒体に記録する撮影装置において、
画像データを記録しておくフォルダを、前記記録媒体内に、互いに異なる図案からなるアイコンと対応付けて作成するフォルダ作成手段と、
画像を表示する表示画面と、
撮影操作に応じて生成された画像データを、前記記録媒体に記録する前に、前記表示画面上に、該画像データに基づくプレビュー画像と、フォルダに対応づけられたアイコンとを表示させるプレビュー表示制御手段と、
前記表示画面上に表示されているアイコンの中から所定のアイコンを指定するアイコン指定手段と、
前記表示画面上に表示されているプレビュー画像を表わす画像データを、前記アイコン指定手段で指定されたアイコンに対応づけられたフォルダに記録する記録手段とを備えたことを特徴とする撮影装置。
【請求項２】
前記記録手段は、前記プレビュー表示制御手段により前記表示画面上にプレビュー画像が表示された後の所定のイベントの発生を受けて、前記アイコン指定手段によるアイコンの設定を行なわずに、該プレビュー画像を表わす画像データを、前回記録したフォルダと同一のフォルダに記録するものであることを特徴とする請求項１記載の撮影装置。
【請求項３】
前記記録手段は、前記プレビュー表示制御手段により前記表示画面上にプレビュー画像が表示された後の所定のイベントの発生を受けて、前記アイコン指定手段によるアイコンの指定を行なわずに、該プレビュー画像を表わす画像データを、あらかじめ定められた所定のフォルダに記録するものであることを特徴とする請求項１記載の撮影装置。
【請求項４】
前記表示画面上に表示された画像のうちの一部を切り出してアイコンを作成するアイコン作成手段を備えたことを特徴とする請求項１記載の撮影装置。
【請求項５】
前記表示画面が接触位置を認識するタッチパネルを有し、
前記アイコン指定手段は、前記表示画面上に表示されたアイコンのうちの所定のアイコンへの接触を受けて該アイコンを指定するものであることを特徴とする請求項１記載の撮影装置。
【発明の詳細な説明】
【技術分野】
【０００１】
本発明は、撮影光学系で撮像素子上に被写体光を結像して被写体を表わす画像データを生成し撮影操作に応じて生成された画像データを記録媒体に記録する撮影装置に関する。
【背景技術】
【０００２】
デジタルカメラの記録メディアとして有名なものにメモリカードがある。このメモリカードに被写体を表わす画像データを記録しておくことでそのメモリカードに記録されている画像データに基づく画像を写真にしたり、画像表示装置の表示画面上に表示したりすることができる。
【０００３】
当然このメモリカードの容量が大きければ大きいほど、一枚のメモリカードに多くの撮影画像を記録することができ、ユーザはデジタルカメラにその一枚のメモリカードを装填しておくだけでより多くの撮影を楽しむことができる。
【０００４】
しかしながら、このメモリカードの容量が小さいと、交換用のメモリカードを何枚もポケット内に入れて持ち歩いて必要時に交換するというような煩雑さが生じるであるとか、装填されたメモリカードが満杯になってしまって撮影したいと思ったときに撮影が行なえないであるとかの事態が発生する。
【０００５】
そこで、デジタルカメラの製作メーカーでは、メモリカードの記録容量を増やす、あるいは他の大容量の記録メディア例えばＤＶＤなどを用いることができるように改良することにより顧客に今まで以上のサービスを提供しようとしている。
【０００６】
しかしながら、このように記録メディアの容量が大きくなってくると、今度は、画像データの数が多くなり過ぎて撮影後の画像データの管理を行なうことが煩雑になってくる。
【０００７】
このような煩雑さを回避するために記録媒体の記録領域を多数のフォルダに分割してその多数のフォルダごとに名称を付けるようにして画像データをその画像データの内容と関連のある名称を持つフォルダに記録するようにして画像データの管理を行ない易くしているものもある（特許文献１〜２参照）。また、同様のものとして操作によりフォルダを選択自在にして画像データの振り分けを行ない易くしているものもある（例えば特許文献３参照）
図１は、従来のフォルダ表示例を示す図である。
【０００８】
図１に示すようにフォルダがいくつあるか分かるように表示画面２上に同一のアイコン２１を多数表示して文字（例えば、メイン、人物１…・・）で各フォルダを識別することができるようにしている。しかし、図１に示すようにフォルダ名ごとに画像データの振り分け等が簡単に行なえるようになったとはいっても、フォルダ名を一々読んで確認してからそのフォルダに画像データを記録するとなると少々面倒である。
【特許文献１】特開２００１−１６９２２２号公報
【特許文献２】特開２００３−３７７７０号公報
【特許文献３】特開２００４−２２８９８７号公報
【発明の開示】
【発明が解決しようとする課題】
【０００９】
本発明は、上記事情に鑑み、簡単にフォルダを指定してそのフォルダに画像データを記録することができる撮影装置を提供することを目的とする。
【課題を解決するための手段】
【００１０】
上記目的を達成する本発明の撮影装置は、撮影光学系で撮像素子上に被写体光を結像して被写体を表わす画像データを生成し撮影操作に応じて生成された画像データを記録媒体に記録する撮影装置において、
画像データを記録しておくフォルダを、上記記録媒体内に、互いに異なる図案からなるアイコンと対応付けて作成するフォルダ作成手段と、
画像を表示する表示画面と、
撮影操作に応じて生成された画像データを、上記記録媒体に記録する前に、上記表示画面上に、その画像データに基づくプレビュー画像と、フォルダに対応づけられたアイコンとを表示させるプレビュー表示制御手段と、
上記表示画面上に表示されているアイコンの中から所定のアイコンを指定するアイコン指定手段と、
上記表示画面上に表示されているプレビュー画像を表わす画像データを、上記アイコン指定手段で指定されたアイコンに対応づけられたフォルダに記録する記録手段とを備えたことを特徴とする。
【００１１】
上記本発明の撮影装置によれば、上記記録手段によって、上記プレビュー表示制御手段により表示されているプレビュー画像が上記アイコン指定手段で指定されたアイコンに対応づけられたフォルダに記録される。この画像データが記録されるフォルダは、上記フォルダ作成手段によって、上記記録媒体内に、互いに異なる図案からなるアイコンと対応付けて作成されているため、上記アイコンが上記アイコン指定手段により指定されるとそのアイコンに対応付けられたフォルダに画像データが記録されることとなる。
【００１２】
つまり、図案を見てその図案に関連する画像データを異なる図案からなるアイコンに対応するフォルダのうちのいずれかに記録するようにしていけば、いままでのようにフォルダの名称を一々読んで画像データを記録するような煩雑さがなくなる。
【００１３】
すなわち、本発明の撮影装置によれば、いままでのようにフォルダ名を一々読むことなく、異なる図案のアイコンのうちのいずれかの図案のアイコンを見るという直感的かつそのアイコンを指示するという簡単操作で画像データの振り分けが行なえる。
【００１４】
以上説明した様に、簡単にフォルダを指定してそのフォルダに画像データを記録することができる撮影装置が実現される。
【００１５】
ここで、上記記録手段は、上記プレビュー表示制御手段により上記表示画面上にプレビュー画像が表示された後の所定のイベントの発生を受けて、上記アイコン設定手段にはアイコンの設定を行なわずに、そのプレビュー画像を表わす画像データを、前回記録したフォルダと同一のフォルダに記録するものであっても、あらかじめ定められた所定のフォルダに記録するものであっても良い。
【００１６】
例えば、上記アイコン指定手段によりプレビュー画像の記録を指示する操作信号が上記記録手段に供給されるか、あるいは上記アイコン指定手段が所定の時間ずっと操作されずに上記記録手段にタイムオーバが発生すると、自動的に前回記録したフォルダと同一のフォルダ、あるいは所定のフォルダにプレビュー画像を表わす画像データが記録される。
【００１７】
このように以前のように一々フォルダ名を読んで指定を行なわなくても上記アイコン指定手段によりアイコンが指定されたら記録媒体内の所定のフォルダにプレビュー画像を表わす画像データが記録される。また、同じ場所で何回も撮影を行なっているような場合には、レリーズが繰り返し行なわれるようになるため、上記指定手段により一々指定を行なっている暇がないようなこともある。そこで、何回もの撮影が次々と行なわれるような場合には、前回記録したフォルダと同一のフォルダに画像データを記録する、あるいは所定のフォルダに画像データを記録するようにしてある。
【００１８】
また、上記記録手段は、上記表示画面上に表示された画像のうちの一部を切り出してアイコンを作成するアイコン作成手段を備えた態様であることが好ましい。
【００１９】
ここにいう、上記表示画面上に表示された画像とは、再生画像であってもあるいはプレビュー画像であっても良い。
【００２０】
そうすると、上記アイコン作成手段により再生画像あるいはプレビュー画像からその画像の一部を切り出しすことにより、記録しようとしている画像を示す撮影情報がすぐに思い浮かぶようなアイコンをフォルダに対応づけて作成することができる。このアイコンの作成においてはいままであったアイコンを上記アイコン作成手段により作成したアイコンに置き換えることも、上記アイコン作成手段により作成したアイコンを新規に作成することも容易にできる。
【００２１】
また、上記表示画面が接触位置を認識するタッチパネルを有し、
上記アイコン指定手段は、上記表示画面上に表示されたアイコンのうちの所定のアイコンへの接触を受けてそのアイコンを指定するものであることが好ましい。
【００２２】
そうすると、上記アイコン指定手段によるアイコン指定の操作が簡単になる。
【発明の効果】
【００２３】
以上、説明したように、簡単にフォルダを指定してそのフォルダに画像データを記録することができる撮影装置が実現される。
【発明を実施するための最良の形態】
【００２４】
以下、本発明の実施の形態について図を参照して構成を説明する。
【００２５】
図２は、本発明の撮影装置の一実施形態であるデジタルカメラ１０を斜め上から見た外観斜視図である。図２（ａ）には、デジタルカメラ１０の正面を斜め上から見た図が示されており、図２（ｂ）には、デジタルカメラ１０の背面を斜め上から見た図が示されている。
【００２６】
図２（ａ）に示すデジタルカメラ１０の前面中央部には、光学ズームレンズである撮影レンズ１０＿１ａを内部に備えたズーム鏡胴１０＿１が備えられている。そのズーム鏡胴１０＿１の上方には、被写界輝度が暗い場合にフラッシュ光を被写体に向けて照射するためのフラッシュ発光窓１０＿２が設けられている。そのフラッシュ発光窓１０＿２の横には背面側にある光学式ファインダ接眼窓（後述する）と対となる光学式ファインダ対物窓１０＿３が設けられている。また、デジタルカメラ１０上面には、レリーズボタン１０＿４が配備されている。
【００２７】
また、図２（ｂ）に示すように、デジタルカメラ１０の背面上部には、光学式ファインダ接眼窓１０＿５や撮影モードと再生モードとを切り替えるためのモード切替用のモードスイッチ１０＿６などが配備されている。
【００２８】
また、そのモードスイッチ１０＿６の下側には、メニューボタン１０＿９と、そのメニューボタン１０＿９の操作によりメニューが表示されている状態にあるときなどに液晶モニタ１０＿３０１上のカーソルを移動させるときに用いられる、上キー１０＿８０、下キー１０＿８２、右キー１０＿８１、左キー１０＿８３を有する十字キー１０＿８が備えられている。その十字キーの中央にＯＫボタン１０＿７が設けられている。またその十字キー１０＿８の横にはキャンセルボタン１０＿１０も配備されている。
【００２９】
この実施形態のデジタルカメラ１０はプレビューモードを有しており、メニューボタン１０＿９と十字キー１０＿８さらにＯＫボタン１０＿７の操作によりプレビューモードが選択されたときには画像データが記録される前に液晶モニタ１０＿３０１上にプレビュー画像が表示される。この実施形態においてはこのプレビュー画像が表示されているときにフォルダに対応づけられている、互いに異なる図案からなるアイコン１０＿１１１〜１０＿１１４が液晶モニタ１０＿３０１上に表示され表示されているアイコンの中からいずれかが十字キーにより指定されると、その指定されたアイコンと対応するフォルダにプレビュー画像を表わす画像データが記録されるようになっている。
【００３０】
なお本実施形態においてプレビュー画面上に表示されているアイコンは十字キーの操作により順次画面上をスクロールして次々と図案の異なるアイコンが表示されるようにもなっている。
【００３１】
図３は、互いに異なる図案の多数のアイコンを示す図である。
【００３２】
図３に示すように、様々な図案のアイコンがある。図２（ｂ）に示してあるのは、これらのアイコンのうちの４つのアイコンであり、上記したように十字キーの操作によりアイコンがスクロールして図３に示す多数のアイコンの中のいずれかが表示される。
【００３３】
これらのアイコンは、フォルダつまり記録媒体内の異なる多数の記録領域にそれぞれ割り当てられているので、いずれかが指定されるとそのアイコンが対応するフォルダに画像データが記録される。
【００３４】
例えば、海外旅行をしたときには、飛行機を表わすアイコンに対応するフォルダに、その海外旅行時に撮影した画像を表わす画像データを記録するようにすれば良く、列車で旅行へいったときには列車を表わすアイコンに対応するフォルダに、その旅行時に撮影した画像を表わす画像データを記録すれば、後でその画像がそのアイコンに対応づけられているフォルダにあることが簡単に分かる。
【００３５】
ここで、このデジタルカメラ１０の内部の回路構成を示し、撮影時の画像データの流れを説明し、さらに撮影操作に応じてどのようにしてアイコンに対応付けられたフォルダに撮影時の画像データが記録されるかを説明する。
【００３６】
本発明の特徴部分であるアイコンと記録メディアの記録領域内のフォルダとの係わりを説明する前に撮影動作を含めてこのデジタルカメラの動作を簡単に説明しておく。
【００３７】
図４は、図２に示すデジタルカメラ１０の回路構成を示すブロック図である。
【００３８】
このデジタルカメラ１０は、ＣＰＵ１０＿４７によって統括的に制御されている。この例のＣＰＵ１０＿４７はプログラムメモリ１０＿４７１を内蔵するものであり、外部にアイコンを登録しておく不揮発性のメモリ１０＿４７２を有するものである。
【００３９】
この例においてはＣＰＵ１０＿４７の入力ポートに十字キー１０＿８の各キー１０＿８１〜１０＿８４やＯＫボタン１０＿７、さらにレリーズボタン１０＿４などが接続されていてそれらのうちのいずれかが操作されたときの操作子の状態の変化がＣＰＵ１０＿４７により検知され適宜処理が実行される。
【００４０】
まず、撮像素子で生成された画像信号がどのようにして後段の回路へ供給されていくかを説明する。
【００４１】
図２には撮像素子１０＿４１以降の回路を働かせるために必要な撮影レンズも図示されており、その撮影レンズがどのようなものであるかを示すため、その撮影レンズの主要な構成要素であるズームレンズ１０＿１ａ１とフォーカスレンズ１０＿１ａ２とが図示されている。これらのレンズを含む撮影レンズ１０＿１ａにより後段のＣＣＤ１０＿４１に被写体光を結像させてそのＣＣＤ１０＿４１に被写体光を表わす画像信号の生成を行なわせている。
【００４２】
このようにＣＣＤ１０＿４１に画像信号を生成させた後、どのように生成された画像信号が後段の回路へと伝達されていくかを説明する。
【００４３】
最初に電源が投入されモードスイッチ１０＿６が撮影モード側にあったときに液晶モニタ１０＿３０１上に表示されるスルー画を表わす画像信号の流れを説明する。
【００４４】
ＣＣＤ１０＿４１にスルー画用の画像信号の生成を行なわせるにあたっては、後述するＣＰＵ１０＿４７の制御の基、図示しないタイミングジェネレータに露光開始信号および露光終了信号を所定の周期で繰り返しＣＣＤ１０＿４１に供給させることによりＣＣＤ１０＿４１にスルー画を表わす画像信号の生成を所定の周期ごとに行なわせている。このタイミングジェネレータ（図示せず）からの露光終了信号に応じてＣＣＤ１０＿４１での露光を終了させた後、ほぼ同時に露光を終了させた、スルー画を表わす画像信号（以降ＲＧＢ信号）をＣＣＤ１０＿４１から出力させている。
【００４５】
このようにしてＡ／Ｄ変換回路１０＿４２にスルー画用のＲＧＢ信号が出力されてきたら、Ａ／Ｄ変換回路１０＿４２によりアナログのＲＧＢ信号がデジタルのＲＧＢ信号に変換される。そうしたらデジタルのＲＧＢ信号が後段の画像入力コントローラ１０＿４３によりバスライン１０＿１００に導かれる。
【００４６】
この画像入力コントローラ１０＿４３によりバスライン１０＿１００に導かれた、スルー画用のデジタルのＲＧＢ信号は画像信号処理回路１０＿４４に供給され、この画像信号処理回路１０＿４４でデジタルのＲＧＢ信号からデジタルのＹＣ信号に変換される。その画像信号処理回路１０＿４４で変換されたＹＣ信号が表示部１０＿３０の駆動制御部１０＿３００に供給され表示部１０＿３０の液晶モニタ１０＿３０１上にＹＣ信号に基づく画像が表示される。このＹＣ信号は、所定の周期ごとにＣＣＤ１０＿４１で生成されるものであるから、液晶モニター１０＿３０１上には所定の周期ごとにＹＣ信号に基づく画像が切り替えられて表示されるようになる。このようにしておくと液晶モニタ１０＿３０１上に撮影レンズ１０＿１ａが向けられた方向の被写体がそのままスルー画として表示される。
【００４７】
つまり、光学ファインダを覗かずに液晶モニタ１０＿３０１をファインダ代わりに視認する様にしてもシャッタチャンスにレリーズボタン１０＿４を押下することにより撮影が行なわれるようになる。
【００４８】
ここで、スルー画を見てシャッタチャンスに撮影を行なおうとしてレリーズボタン１０＿４の押操作が進み、レリーズボタン１０＿４が半押し状態になると一方のスイッチ（以降第１の接点という）１０＿４Ａが接続されてＣＰＵ１０＿４７によって半押し状態が検知され、全押し操作されると他方のスイッチ１０＿４Ｂ（以降第２の接点という）も接続されて全押しされたことがＣＰＵ１０＿４７によって検知される。
【００４９】
ＣＰＵ１０＿４７は、半押しを検知したときにＡＥ検出回路１０＿５０およびＡＦ検出回路１０＿５１それぞれに所定の処理を行なわせて、全押しを検知したときにタイミングジェネレータ（図示せず）にシャッタスピードに応じた露光開始信号および露光終了信号をＣＣＤ１０＿４１に向けて出力させる。
【００５０】
上記ＡＥ検出回路１０＿５０には露出設定に必要な輝度の検出を行なわせていて、このＡＥ検出回路１０＿５０での検出結果に応じてＣＰＵ１０＿４７は図示しない絞りの開口径を調節したり全押し時にフラッシュ発光装置１０＿２０にフラッシュ光の発光を行なわせたりしている。
【００５１】
また上記ＡＦ検出回路１０＿５１には、ＣＰＵ１０＿４７の制御の基、モータドライバ１０＿４９に指示してフォーカスレンズ１０＿１ａ２を最至近点から最遠点まで移動させているときの、途中の複数の位置それぞれで被写体コントラストの検出を行なわせて各位置で検出された被写体コントラストのピークを合焦点とするような処理を行なわせている。
【００５２】
このようにして全押し時にＣＣＤ１０＿４１に結像させていた画像を表わす画像信号をＣＣＤ１０＿４１に出力させた後、Ａ／Ｄ変換回路１０＿４２によりデジタル信号に変換されたＲＧＢ信号が画像入力コントローラ１０＿４３によってバスライン１０＿１００に導かれる。
【００５３】
このバスライン１０＿１００に導かれたＲＧＢ信号は一旦メモリ（ＳＤＲＡＭ）１０＿５２にすべて記憶され、その後、メモリ１０＿５２から読み出されて画像信号処理回路１０＿４４に供給される。この画像信号処理回路１０＿４４によってＲＧＢ信号がＹＣ信号に変換され、変換されたＹＣ信号が今度は圧縮処理回路１０＿４５に供給され、圧縮処理回路１＿４５でＪＰＥＧ圧縮される。さらにそのＪＰＥＧ圧縮されたＹＣ信号が記録部１０＿５３に供給され、記録部１０＿５３によって画像データに圧縮情報等からなるヘッダ情報が付け加えられて画像ファイル（Ｅｘｉｆファイル）となって記録メディア１０＿５４に記録される。
【００５４】
ただしメニューボタン１０＿９の操作により撮影モードの中のプレビューモードが選択されていた場合には、ＹＣ信号に変換された画像データが一旦ＳＤＲＡＭ１０＿５２に記憶されてそのＳＤＲＡＭ１０＿５２内に記憶されている画像データに基づくプレビュー画像が液晶モニタ１０＿３０１上に表示されるようになっている。このプレビュー画像が液晶モニタ１０＿３０１上に表示されるときには図２（ｂ）に示すようにフォルダと対応付けられた４つのアイコン１０＿１１１〜１０＿１１４も表示される。ここでその表示されている４つのアイコン１０＿１１１〜１０＿１１４の中からいずれかのアイコンが十字キー１０＿８等の操作により指定されると、そのアイコンに対応するフォルダにプレビュー画像を表わす画像データが記録される。
【００５５】
例えば、図２（ｂ）に示すような風景画像であった場合には、風景を連想させるような木（あるいは風景画を連想させるようなアイコンを後述する方法で作成することもできる）を表わすアイコンを十字キー１０＿８により選択することで、風景画像を表わす画像データを，その木を表わすアイコンに対応するフォルダに記録することができるようになる。
【００５６】
図５は、撮影モード時にＣＰＵ１０＿４７が行なう撮影処理の手順を示すフローチャートである。
【００５７】
ステップＳ５０１でプレビューモードが指定されているかどうかを判定する。このステップＳ５０１でプレビューモードが指定されていないと判定したらステップＳ５２０へ進んでステップＳ５２０で撮影を開始する。次のステップＳ５２１へ進んで撮影した画像を液晶モニタ１０＿３０１上に表示させたまま、ステップＳ５２２で所定のフォルダ例えば地球儀を表わすアイコン（図３参照）に対応づけられたフォルダに画像データを記録する。
【００５８】
ステップＳ５０１でプレビューモードであると判定したときには、Ｙ側に進み次のステップＳ５０２で撮影を開始して次のステップＳ５０３で図２（ｂ）に示すプレビュー画像と４つのアイコンを表示する。ステップＳ５０４で十字キーの操作によりいずれかのアイコンが指定されたら、Ｙ側に進んでステップＳ５０５で指定されたアイコンに対応するフォルダに画像データを記録（保存）する。次のステップＳ５０７へ進んで次の撮影に備える。
【００５９】
ステップＳ５０４で十字キーの操作によりいずれのアイコンも指定されずに所定の時間経過したら、タイムアウトであるとしてプレビュー画像を表わす画像データを一つ前に指定されたアイコンに対応するフォルダに記録（保存）する。次のステップＳ５０８へ進んで次の撮影に備える。
【００６０】
図６は、ＣＰＵ１０＿４７とメモリ１０＿４７２とで構成される、本発明にいうアイコン作成手段と、記録メディアであるメモリカード１０＿５４と液晶モニタ１０＿３０１を有する表示部１０＿３０との係わりを説明する図である。
【００６１】
ＣＰＵ１０＿４７は、記録メディアであるメモリカード１０＿５４が装填されたときに、メモリーカード１０＿５４内の画像ファイルのヘッダ部に記録されているタグ情報をＯＳ情報として作業領域であるメモリ１０＿４７２に読み出している。このときに各ヘッダ情報とアドレスカウンタ（不図示）のカウントに基づき、分割されている各フォルダの先頭アドレスのメモリアロケーション情報を作成している。このメモリアロケーション情報が作成されると、フォルダの先頭番地とアイコンとの対応付けが簡単に行なえる。
【００６２】
さらにメモリ１０＿４７２内には、アイコンを表わす画像も多数記録されているので、これらのアイコン画像それぞれとフォルダの先頭番地との対応づけが行なわれてメモリアロケーションテーブルが作成されることによりアイコンとフォルダとの間の対応付けが要領良く行なわれる。
【００６３】
この状態にあるときに十字キー１０＿８やＯＫボタン１０＿７等の操作スイッチが操作されてプレビューモードが指定されたときには、ＣＰＵ１０＿４７がメモリ１０＿４７２からアイコンを表わす画像データのうちのいくつかの画像データを読み出して表示部１０＿３０にＳＤＲＡＭに記憶されている撮影した画像を表わす画像データとともに転送して、表示部１０＿３−が備える液晶モニタ１０＿３０１上にそれらの画像データに基づくプレビュー画像および４つのアイコンをそれぞれ表示させている。
【００６４】
図７は、プレビュー画面の別の例を示す図である。
【００６５】
図７の例においては液晶モニタの代わりにタッチパネルを用いた例を掲げている。
【００６６】
図７には、自分の作ったケーキの完成度を写真にして残したいと思ったときなどにプレビューモードを用いてフォルダを指定しようとしている場合の例が示されている。図７に示すアイコン（ここではフォークとナイフ）をタッチするとそのアイコンに対応するフォルダにケーキを表わす画像データが記録される。このようにすると食事に関与するフォルダに自分のケーキの出来上がり写真を入れてあるということが再生モード時においてもすぐに分かるようになる。
【００６７】
以上説明したように撮影時に適切なファイリングが行なえて、再生時にはいつでもその画像ファイルを簡単に探し出すことができる効率的なファイリングシステムが構築される。
【００６８】
また、本実施形態のデジタルカメラ１０は、アイコン作成モードを有しており、そのマイコン作成モードが指定されると、再生画像もしくはプレビュー画像の一部をトリミングしてアイコンにすることができるようになる。
【００６９】
図８は、アイコン作成モードでアイコンを作成してアイコンの置き換えを行なった場合の例を説明する図である。
【００７０】
図８（ａ）には、再生画像（またはプレビュー画像）の中の一部領域が十字キーなどの操作子により指定されトリミングが行なわれたときの状況が示されており、図８（ｂ）にはトリミングされた画像が図７に示すアイコン（花）と置き換えられたときの状況が示されている。
【００７１】
このようにしておくと、自分の好きなアイコンを作成してフォルダとの対応付けを行なうことができるようになる。
【００７２】
また、ここでは置き換えの例を説明したが、このデジタルカメラにおいてはアイコンの新規作成も行なえる。アイコン作成モードの中に選択肢があり、新規作成が選択された場合には、上記メモリアロケーションテーブルに新たなフォルダ領域が追加されてその先頭番地に対応づけられたアイコンが新規に作成される。
【００７３】
図９は、アイコン作成モードが指定されたときのＣＰＵ１０＿４７の処理手順を示すフローチャートである。
【００７４】
ステップＳ９０１で再生モードが選択されたことを検知しさらに次のステップＳ９０２でアイコン作成モードが選択されたことを検知したら、次のステップＳ９０３で液晶モニタに表示されている再生画像上に‘既存のフォルダのアイコンに置き換えますか’のダイヤログを表示してＯＫボタン、キャンセルボタンのうちのいずれが操作されるを待つ。ここでＯＫボタンが操作されたら‘既存のフォルダのアイコンに置き換える’と判定してＯＫ側に進み、ステップＳ９０４でアイコンの置き換えを行なうアイコンが十字キーの操作により指定され、さらにトリミング領域（図８（ａ）の点線で囲んだ部分）が指定されたら、次のステップＳ９０５でアイコンの置き換えを行なう。
【００７５】
またステップＳ９０３で‘既存のフォルダのアイコンに置き換えない’ということがキャンセルボタン１０＿１０により指定されたと判定したらキャンセル側に進みステップＳ９０６でトリミングした画像をアイコンとした新規フォルダを作成してこのフローの処理を終了する。
【００７６】
以上説明したように、簡単にフォルダを指定してそのフォルダに画像データを記録することができる撮影装置が実現される。
【００７７】
なお、本実施形態では、再生モード時にアイコン作成モードを起動するようにしたが、プレビューモード時にアイコン作成モードを自動的に起動するようにしておいても良い。
【図面の簡単な説明】
【００７８】
【図１】従来のフォルダ表示例を示す図である。
【図２】本発明の撮影装置の一実施形態であるデジタルカメラ１０を斜め上から見た外観斜視図である。
【図３】互いに異なる図案の多数のアイコンを示す図である。
【図４】図２に示すデジタルカメラ１０の回路構成を示すブロック図である。
【図５】撮影モード時にＣＰＵ１０＿４７が行なう撮影処理の手順を示すフローチャートである。
【図６】ＣＰＵとメモリとからなるアイコン作成手段と、メモリカードと液晶モニタとの関連を示す図である。
【図７】プレビュー画面の一例を示す図である。
【図８】アイコン作成モードを作成してアイコンの置き換えを行なった場合の例を説明する図である。
【図９】アイコン作成モードが指定されたときのＣＰＵの処理手順を示すフローチャートである。
【符号の説明】
【００７９】
１０    デジタルカメラ
１０＿１    レンズ鏡胴
１０＿２    フラッシュ発光窓
１０＿３    ファインダ対物窓
１０＿４    レリーズボタン
１０＿５    ファインダ接眼窓
１０＿６    モードスイッチ
１０＿７    ＯＫボタン
１０＿８  十字キー
１０＿９    メニューボタン
１０＿１０    キャンセルボタン
１０＿４１    ＣＣＤ
１０＿４７    ＣＰＵ
１０＿３０    表示部
１０＿５４    記録メディア（メモリカード）
【図１】
2006310944.tif 000003
【図２】
2006310944.tif 000004
【図３】
2006310944.tif 000005
【図４】
2006310944.tif 000006
【図５】
2006310944.tif 000007
【図６】
2006310944.tif 000008
【図７】
2006310944.tif 000009
【図８】
2006310944.tif 000010
【図９】
2006310944.tif 000011